(57)【特許請求の範囲】
【請求項１】
格子状に組まれた枠組みを有する木造建築物の壁構造であって、
断熱性パネルを有し、
前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、
前記枠組みは側部内面にそれぞれ両端まで伸びるパネル保持溝を有し、前記内壁材が室内側に向けられ、前記平板は両側端が前記パネル保持溝に嵌合されて枠組み開口を塞ぎ、前記枠組みに前記内壁材の縁部を覆う化粧材が設けられていることを、
特徴とする壁構造。
【請求項２】
格子状に組まれた枠組みを有する木造建築物の壁構造であって、
断熱性パネルを有し、
前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記平板に前記補強材の反対側で固定された胴縁材と、前記平板との間で前記定型性断熱材を挟むよう前記胴縁材に固定された外壁材とを有し、
前記枠組みは側部内面にそれぞれ両端まで伸びるパネル保持溝を有し、前記外壁材が室外側に向けられ、前記平板は両側端が前記パネル保持溝に嵌合されて枠組み開口を塞ぎ、前記枠組みに前記外壁材の縁部を覆う化粧材が設けられていることを、
特徴とする壁構造。
【請求項３】
格子状に組まれた枠組みを有する木造建築物の壁構造であって、
断熱性パネルを有し、
前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、
前記平板との間で前記定型性断熱材を挟むよう前記胴縁材に固定された外壁材を有し、前記平板の周縁を包囲するよう設けられたパッキン材を有し、前記胴縁材は固定部と押さえ部とを有し、前記固定部は前記平板を介して前記補強材に固定されて前記定型性断熱材の一端に隣接し、前記押さえ部は前記固定部に垂直に設けられて前記平板との間で前記定型性断熱材の一端側側部を覆っており、前記枠組みは側部内面にそれぞれ両端まで伸びるパネル保持溝を有し、前記内壁材が室内側に前記外壁材が室外側に向けられ、前記平板は両側端が前記パッキン材とともに前記パネル保持溝に嵌合されて枠組み開口を塞ぎ、前記パッキン材は前記枠組みに密着して前記枠組み開口を塞ぎ、前記枠組みに前記内壁材および前記外壁材の縁部を覆う化粧材が設けられていることを、
特徴とする壁構造。
【請求項４】
格子状に組まれた枠組みを有する木造建築物の壁構造であって、
断熱性パネルを有し、
前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、
前記平板との間で前記定型性断熱材を挟むよう前記胴縁材に固定された外壁材を有し、前記平板は周縁を前記枠体より外側に突出させて前記枠体の片面に枠体開口を塞ぐよう固定され、前記定型性断熱材は前記平板の周縁に対し内側に間隙をあけて設けられており、前記枠組みは両側内面内周に環状のパネル保持溝を有し、前記内壁材が室内側に前記外壁材が室外側に向けられ、前記平板は周縁が前記パネル保持溝に嵌合されて枠組み開口を塞ぎ、前記枠組みに前記内壁材および前記外壁材の縁部を覆う化粧材が設けられていることを、
特徴とする壁構造。
【発明の詳細な説明】
【０００１】
【発明の属する技術分野】
本発明は、木造建築物の壁構造に関する。
【０００２】
【従来の技術】
従来のパネル材および木造建築物の壁構造としては、特開平１１−２２０６９号公報に示すものがある。すなわち、枠組みの内側にパネル材保持溝を設け、パネル材がパネル材保持溝に嵌合されて枠組みの開口を塞ぎ、パッキン材がパネル材の周縁と枠組みとの間に気密を保持するようになっている。
【０００３】
【発明が解決しようとする課題】
しかしながら、従来のパネル材および木造建築物の壁構造では、パネル材で枠組みの開口を塞いだ後、内壁材および外壁材を張り付ける必要があり、壁の施工に手数がかかるという問題点があった。
【０００４】
本発明は、このような従来の問題点に着目してなされたもので、壁の施工が容易な壁構造を提供することを目的としている。
【０００５】
【課題を解決するための手段】
上記目的を達成するために、本発明の第１の関連技術の断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを、有することを特徴とする。枠体は、四辺を平板の四辺とそれぞれ平行にして設けられていることが好ましい。また、枠体は、定型性断熱材と平板を挟んで外周の位置が一致していることが好ましい。
【０００６】
本発明の第２の関連技術の断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記平板に前記補強材の反対側で固定された胴縁材と、前記平板との間で前記定型性断熱材を挟むよう前記胴縁材に固定された外壁材とを、有することを特徴とする。
【０００７】
本発明の第３の関連技術の断熱性パネルは、本発明の第１または第２の関連技術の断熱性パネルにおいて、前記平板の周縁を包囲するよう設けられたパッキン材を有し、前記胴縁材は固定部と押さえ部とを有し、前記固定部は前記平板を介して前記補強材に固定されて前記定型性断熱材の一端に隣接し、前記押さえ部は前記固定部に垂直に設けられて前記平板との間で前記定型性断熱材の一端側側部を覆うことを、特徴とする。
【０００８】
この場合、パッキン材は、平板の周縁で気密性を保つことにより冬季の結露を防止する。また、胴縁材により壁材の下地材として外壁材の固定を容易にするとともに、定型性断熱材の一端側側部を覆うことにより熱欠損を防止することができる。なお、定型性断熱材の周縁を包囲するよう断熱材側パッキン材を設けてもよい。この場合、断熱材側パッキン材が定型性断熱材の周縁で気密性を保つことにより、夏季の結露を防止することができる。また、断熱材側パッキン材は、定型性断熱材が経年変化などにより収縮したとき、その収縮を吸収して断熱性を確保する。断熱材側パッキン材は、運搬の際、定型性断熱材が割れたり欠けたりしないよう保護する役割も有する。
【０００９】
本発明の第４の関連技術の本発明に係る断熱性パネルは、本発明の第１、第２または第３の関連技術の断熱性パネルにおいて、前記平板は周縁を前記枠体より外側に突出させて前記枠体の片面に枠体開口を塞ぐよう固定され、前記定型性断熱材は前記平板の周縁に対し内側に間隙をあけて設けられていることを、特徴とする。
【００１０】
請求項１の本発明に係る壁構造は、格子状に組まれた枠組みを有する木造建築物の壁構造であって、断熱性パネルを有し、前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、前記枠組みは側部内面にそれぞれ両端まで伸びるパネル保持溝を有し、前記内壁材が室内側に向けられ、前記平板は両側端が前記パネル保持溝に嵌合されて枠組み開口を塞ぎ、前記枠組みに前記内壁材の縁部を覆う化粧材が設けられていることを、特徴とする。
【００１１】
請求項２の本発明に係る壁構造は、格子状に組まれた枠組みを有する木造建築物の壁構造であって、断熱性パネルを有し、前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記平板に前記補強材の反対側で固定された胴縁材と、前記平板との間で前記定型性断熱材を挟むよう前記胴縁材に固定された外壁材とを有し、前記枠組みは側部内面にそれぞれ両端まで伸びるパネル保持溝を有し、前記外壁材が室外側に向けられ、前記平板は両側端が前記パネル保持溝に嵌合されて枠組み開口を塞ぎ、前記枠組みに前記外壁材の縁部を覆う化粧材が設けられていることを、特徴とする。
【００１２】
請求項３の本発明に係る壁構造は、格子状に組まれた枠組みを有する木造建築物の壁構造であって、断熱性パネルを有し、前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、前記平板との間で前記定型性断熱材を挟むよう前記胴縁材に固定された外壁材を有し、前記平板の周縁を包囲するよう設けられたパッキン材を有し、前記胴縁材は固定部と押さえ部とを有し、前記固定部は前記平板を介して前記補強材に固定されて前記定型性断熱材の一端に隣接し、前記押さえ部は前記固定部に垂直に設けられて前記平板との間で前記定型性断熱材の一端側側部を覆っており、前記枠組みは側部内面にそれぞれ両端まで伸びるパネル保持溝を有し、前記内壁材が室内側に前記外壁材が室外側に向けられ、前記平板は両側端が前記パッキン材とともに前記パネル保持溝に嵌合されて枠組み開口を塞ぎ、前記パッキン材は前記枠組みに密着して前記枠組み開口を塞ぎ、前記枠組みに前記内壁材および前記外壁材の縁部を覆う化粧材が設けられていることを、特徴とする。
【００１３】
請求項４の本発明に係る壁構造は、格子状に組まれた枠組みを有する木造建築物の壁構造であって、断熱性パネルを有し、前記断熱性パネルは、２本の竪材と、２本の横材と、各竪材と平行であって両端が各横材に固定された補強材とから成る矩形状の枠体と、両側端を前記枠体の各竪材より外側に突出させて前記枠体の片面に枠体開口を塞ぐよう固定された矩形状の平板と、前記平板の前記枠体と反対側の面に設けられた矩形状の定型性断熱材と、前記枠体の前記平板と反対側の面に固定された内壁材と、前記平板に前記補強材の反対側で固定された胴縁材とを有し、前記平板との間で前記定型性断熱材を挟むよう前記胴縁材に固定された外壁材を有し、前記平板は周縁を前記枠体より外側に突出させて前記枠体の片面に枠体開口を塞ぐよう固定され、前記定型性断熱材は前記平板の周縁に対し内側に間隙をあけて設けられており、前記枠組みは両側内面内周に環状のパネル保持溝を有し、前記内壁材が室内側に前記外壁材が室外側に向けられ、前記平板は周縁が前記パネル保持溝に嵌合されて枠組み開口を塞ぎ、前記枠組みに前記内壁材および前記外壁材の縁部を覆う化粧材が設けられていることを、特徴とする。
【００１４】
断熱性パネルは、壁材のほか、床材または天井材に用いられてもよい。平板には、気密性シートが貼られていてもよい。この場合、気密性シートは、アルミ箔と合成樹脂とを張り合わせたもの、合成樹脂単体、ゴム、その他、気密性を有する材質であれば、いかなる材質から成ってもよい。パッキン材は、外面に剥離テープを有することが好ましい。剥離テープは、パネル保持溝に嵌合する際、それらとの滑りを良くし、嵌合を容易にする。パッキン材には、例えばＥＰＤＭなどの材質を用いることができる。枠組みは、例えば、土台、根太、胴縁材、柱または梁により格子状に組まれる。なお、本明細書中で、「梁」の概念には、桁を含む。また、「柱」の概念には、支柱、間柱、束を含む。
【００１５】
本発明の第１乃至第４の関連技術の断熱性パネルは、格子状に組まれた枠組みを有する木造建築物で使用される。枠組みは、側部内面にそれぞれ両端まで伸びるパネル保持溝を有する。断熱性パネルは、内壁材を室内側に向けるかまたは外壁材を室外側に向けて、枠組み開口を塞ぐよう枠組みの内側に嵌合される。平板は、両側端がパネル保持溝に嵌合される。平板は、枠組みの内側に嵌合されて枠組みの内側方向への力に対して強度を高める。パッキン材は、枠組みから平板に振動が伝わるのを防ぐとともに、平板と枠組みとの寸法誤差を吸収する。定型性断熱材は、断熱性を付与する。胴縁材は、外壁材の固定を容易にする。断熱性パネルは、内壁材または外壁材を有するので、枠組みの開口を塞ぐと同時に内壁材または外壁材が設けられ、施工を容易にすることができる。なお、断熱性パネルは、内壁材および外壁材の両方を有していてもよい。この場合、施工をさらに容易にすることができる。
【００１６】
【発明の実施の形態】
以下、図面に基づき本発明の実施の形態について説明する。
図１〜図３は、本発明の実施の形態を示している。
図１に示すように、木造建築物の壁構造は、土台または根太、柱および梁から成る４本の枠材により格子状に組まれた枠組み１を有する。枠組み１は、側部の柱の内面にそれぞれ両端まで伸びるパネル保持溝を有する。
【００１７】
木造建築物の壁構造は、断熱性パネル１０を有する。図１に示すように、断熱性パネル１０は、矩形状の平板１１と、平板側パッキン材１２と、矩形状の定型性断熱材１３と、断熱材側パッキン材１４と、枠体１５と、補強材１６ａ，１６ｂと、胴縁材１７と、枠体側断熱材１８と、内壁材１９と、外壁材２０とを有する。平板１１は、両面に気密性シートが張り付けられており、気密性を有する。平板側パッキン材１２および断熱材側パッキン材１４は、幅１０ミリ、厚さ１０ミリ程度の粘着性テープから成り、気密性およびクッション性を有する。平板側パッキン材１２および断熱材側パッキン材１４は、一方の面に剥離テープが張り付けられている。
【００１８】
平板側パッキン材１２は、平板１１の周縁を包囲するよう設けられ、平板１１の周縁に張り付けられている。定型性断熱材１３は、平板１１と同じ高さで、平板１１より短い幅を有する。定型性断熱材１３は、四辺を平板１１の四辺とそれぞれ平行にして平板１１の両側端１１ａに対し内側に間隙をあけて、枠体１５と反対側となる平板１１の一方の面に張り付けられている。
【００１９】
断熱材側パッキン材１４は、定型性断熱材１３の周縁を包囲するよう設けられ、定型性断熱材１３の周縁に張り付けられている。断熱材側パッキン材１４は、平板側パッキン材１２との間に間隔をおくよう平板１１と反対側の端部の周縁に設けられている。これにより、運搬の際に定型性断熱材１４を衝撃から保護しやすくなるとともに、平板側パッキン材１２と断熱材側パッキン材１４との間に空気層が形成され、断熱性を高めることができる。
【００２０】
図２および図３に示すように、枠体１５は、矩形状であって、２本の竪材１５ａと２本の横材１５ｂと補強材１６ａ，１６ｂとから成っている。平板１１は、枠体１５の片面に枠体開口１５ｃを塞ぐよう固定されている。枠体１５は、四辺を平板１１の四辺とそれぞれ平行にして設けられている。平板１１は、両側端を枠体１５の各竪材１５ａより外側に突出させて枠体１５の片面に設けられている。枠体１５は、定型性断熱材１４と平板１１を挟んで外周の位置が一致している。
【００２１】
補強材１６ａは、各竪材１５ａと平行であって平板１１に接して両端が各横材１５ｂに固定されている。補強材１６ｂは、各横材１５ｂと平行であって平板１１に接して両端が各竪材１５ａに固定されている。胴縁材１７は、平板１１の一方の面に補強材１６ａの反対側で固定されている。胴縁材１７は、固定部１７ａと押さえ部１７ｂとを一体的に有する。固定部１７ａは、平板１１を介して補強材１６ａに固定されて定型性断熱材１４の一端に隣接している。押さえ部１７ｂは固定部１７ａに垂直に設けられて平板１１との間で定型性断熱材１４の一端側側部１４ａを覆っている。枠体側断熱材１８は、枠体１５の内部に設けられている。この場合、胴縁材１７により壁材の下地材として壁材の固定を容易にするとともに、定型性断熱材１４の一端側側部１４ａを覆うことにより熱欠損を防止することができる。
【００２２】
内壁材１９は、枠体１５の平板１１と反対側の面に固定されている。内壁材１９は、枠体１５と同じ大きさを有し、枠体１５に周囲が一致するよう固定されている。外壁材２０は、平板１１との間で定型性断熱材１４を挟むよう胴縁材１７の押さえ部１７ｂに固定されている。外壁材２０は、枠体１５より大きく、枠体１５より周縁を突出させて押さえ部１７ｂに固定されている。外壁材２０と定型性断熱材１４との間には、通風性をもたせるために間隙が形成される。
【００２３】
壁構造では、断熱性パネル１０の内壁材９が室内側に外壁材２０が室外側に向けられている。竪材１５ａの室外側の面には、押さえ部１７ｂと同じ厚さの板材１５ｄが固定されている。図１に示すように、平板１１は、両側端１１ａが平板側パッキン材１２とともにパネル保持溝に嵌合されて枠組み開口４ａを塞いでいる。平板側パッキン材１２および断熱材側パッキン材１４は、枠組み１に密着して枠組み開口４ａを塞いでいる。壁構造は、化粧材２１，２２を有する。化粧材２１，２２は、それぞれ内壁材１９および外壁材２０の縁部を覆うように枠組み１に設けられる。
【００２４】
壁構造を施工する場合には、まず、枠組み１の土台または根太に柱の一方を固定した状態で、それらに断熱性パネル１０の下部および一方の側部を取り付ける。次に、もう一方の柱２を土台または根太および断熱性パネル１０の他方の側部に取り付け、最後に梁を２本の柱および断熱性パネル１０の上部に取り付ける。このように、枠組み１を組み立てる際に、断熱性パネル１０は取り付けられる。内壁材１９は、枠組み開口４ａの外側に設けられる。そして、枠組み１に化粧材２１，２２が設けられる。
【００２５】
次に作用を説明する。
図１に示すように、断熱性パネル１０は、格子状に組まれた枠組み１を有する木造建築物で使用される。木造建築物の壁構造は、複数の断熱性パネル１０を土台または根太、柱または梁から成る４本の枠材で囲むことにより施工することができる。断熱性パネル１０は、内壁材１９を室内側に外壁材２０を室外側に向け、枠組み開口４ａを塞ぐよう枠組み１の内側に嵌合される。平板側パッキン材１２および断熱材側パッキン材１４は、枠組み１の内面に密着させる。平板１１は、枠組み１の内側に嵌合されて枠組み１の内側方向への力に対して強度を高める。
【００２６】
平板側パッキン材１２は、平板１１の周縁で気密性を保つことにより冬季の結露を防止する。断熱材側パッキン材１４は、定型性断熱材１３の周縁で気密性を保つことにより夏季の結露を防止する。平板側パッキン材１２および断熱材側パッキン材１４は、枠組み１から平板１１および定型性断熱材１３に振動が伝わるのを防ぐとともに、平板１１および定型性断熱材１３と枠組み１との寸法誤差を吸収する。断熱材側パッキン材１４は、運搬の際、定型性断熱材１３が割れたり欠けたりしないよう保護する役割も有する。定型性断熱材１３は、断熱性を付与する。胴縁材１７は、外壁材２０の固定を容易にする。断熱性パネル１０は、内壁材１９および外壁材２０を有するので、枠組み開口４ａを塞ぐと同時に内壁材１９および外壁材２０が設けられ、施工を容易にすることができる。
【００２７】
なお、定型性断熱材１３は、四辺を平板１１の四辺とそれぞれ平行にして平板１１の周縁に対し間隙をあけて平板１１の一方の面に設けられていてもよい。この場合、木造建築物の壁構造は、枠組み１の両側内面内周に環状のパネル保持溝を有するようにし、平板１１の周縁を平板側パッキン材１２とともにパネル保持溝に嵌合する。
【００２８】
また、図４に示すように、内壁材１９は、枠組み開口４ａの内側に設けられてもよい。平板１１には、竪材１５ａの反対側に胴縁材２３を固定してもよい。胴縁材２３は、胴縁材２２と同様に固定部２３ａと押さえ部２３ｂとを有する。固定部２３ａは、平板１１を介して竪材１５ａに固定されて定型性断熱材１３の一端に隣接する。押さえ部２３ｂは、固定部２３ａに垂直に設けられて平板１１との間で定型性断熱材１３の一端側側部を覆う。外壁材２０は、押さえ部２３ｂに固定されている。
【００２９】
なお、化粧材２２は、板材１５ｄを一体的に有していてもよい。断熱材側パッキン材１４および枠体側断熱材１８は、製造コストを下げるため、省略してもよい。
【００３０】
【発明の効果】
本発明に係る壁構造によれば、内壁材または外壁材の取付けが容易で、壁の施工を容易にすることができる。また、運搬の際、定型性断熱材が割れたり欠けたりしないよう保護することができる。さらに、木造建築物の枠組みの内側方向への力に対して強度を高めることができる。
【図面の簡単な説明】
【図１】  本発明の実施の形態の壁構造を示す断面図である。
【図２】  本発明の実施の形態の壁構造の断熱性パネルの枠体を示す正面図である。
【図３】  図１の枠体を示す側面図である。
【図４】  図１の壁構造の変形例を示す要部断面図である。
【符号の説明】
１  枠組み
１０  断熱性パネル
１１  平板
１２  平板側パッキン材
１３  定型性断熱材
１４  断熱材側パッキン材
１５  枠体
１６  補強材
１７  胴縁材
１８  枠体側断熱材
１９  内壁材
２０  外壁材
２１  化粧材
【図１】
0004166396.tif 000002
【図２】
0004166396.tif 000003
【図３】
0004166396.tif 000004
【図４】
0004166396.tif 000005